(57)【特許請求の範囲】
【請求項１】
壁面などに配置されて掲示物の掲示や展示物の掛け下げ展示を行う展示装置であって、パネル体とパネル体の表面に取り付けられる複数の照明体から構成され、パネル体が、非磁性及び非導電性材質で形成した適宜大きさのパネル部における掲示物や展示物の規格寸法に対応した位置の各背面に、非導電性材質で形成した磁気吸着用の永久磁石、及び前記永久磁石の外周位置に永久磁石を囲繞する巻線からなる一次コイルで構成した給電部を設けると共に、前記給電部の一次コイルに高周波電力を供給する電源部を付属させ、照明体が、適宜高さを備えた塔状に形成されると共に、塔状本体内の底面側に、非導電性材質で形成した磁気吸着用の永久磁石、及び前記永久磁石の外周位置に永久磁石を囲繞する巻線からなる二次コイルで構成した受電部を設け、前記受電部の二次コイルと接続したＬＥＤを、塔状本体の上部周面にパネル体表面を照射する発光部として露出させて組み込んでなることを特徴とする展示装置。
【請求項２】
照明体におけるＬＥＤを２個逆並列回路となるように接続すると共に、互いの発光部が塔状本体周面における約９０度以内となるように設けてなる請求項１記載の展示装置。
【発明の詳細な説明】
【技術分野】
【０００１】
本発明は、ポスター、カレンダー、種々の告知用紙等の掲示物を掲示したり、美術品を掛け止めして展示するパネルタイプの展示装置で、特にＬＥＤを使用した照明機構を備えた装置に関するものである。
【背景技術】
【０００２】
掲示物は一般に壁面に形成された掲示板に掲示されるものであり、掲示物が見やすいように室内照明の位置を考慮して掲示板を設置している。また特に美術館のように展示物が絵画であるような場合には、特許文献１（特開２００１−２９９５１７号公報）に例示されているように、展示パネルにアームによって位置調整ができる照明機構を付設している。
【０００３】
またＬＥＤを使用した照明装置であって、特に電磁誘導を利用したものとして、特許文献２（特開２０００−１７７３００号公報）に、高周波電流を流している一次コイルを備えたシート上に、二次コイルと二次コイルに接続されたＬＥＤを備えた装飾物を載置し、二次コイルの誘導起電力でＬＥＤを点灯する光る装飾物が開示されている。
【０００４】
また特許文献３（特開２００５−７２３６６号公報）には、背面に磁気吸着用の磁石を配置し、外周に一次コイルを張り巡らした可撓性シートと、一次コイルを跨ぐようにコ状とした磁性体に二次コイルを巻回し、上面にＬＥＤを備えた電飾部材とで構成した電飾装置が開示されている。
【０００５】
【特許文献１】特開２００１−２９９５１７号公報。
【特許文献２】特開２０００−１７７３００号公報。
【特許文献３】特開２００５−７２３６６号公報。
【発明の開示】
【発明が解決しようとする課題】
【０００６】
ところで、ポスター等の一般的な掲示物に対して個別の照明を行う場合に、前記したアーム構造の照明機構を備えた展示装置は、過剰品質であるといえるし、必ずしも使いやすいとは言い難い。
【０００７】
また美術品の展示に際しては、一般的な照明（蛍光灯や白熱灯）は、紫外線を含んでおり、照明によって美術品の劣化が進行する。
【０００８】
またＬＥＤを採用した照明は、主として電飾として採用されているもので、展示物の照明にはそのまま採用できない。特に特許文献２に開示されているように、一次コイルに該当する直線電線に二次コイルを並列配置した場合には、二次コイルへの磁束鎖交数が大きくならないので、照明用としてのＬＥＤの駆動電力を得ることができにくい。
【０００９】
そこで本発明は、ポスター等の掲示物を掲示したり、美術品の展示に使用するＬＥＤ照明付きの新規な展示装置を提案したものである。
【課題を解決するための手段】
【００１０】
本発明（請求項１）に係る展示装置は、壁面などに配置されて掲示物の掲示や展示物の掛け下げ展示を行う展示装置であって、パネル体とパネル体の表面に取り付けられる複数の照明体から構成され、パネル体が、非磁性及び非導電性材質で形成した適宜大きさのパネル部における掲示物や展示物の規格寸法に対応した位置の各背面に、非導電性材質で形成した磁気吸着用の永久磁石、及び前記永久磁石の外周位置に永久磁石を囲繞する巻線からなる一次コイルで構成した給電部を設けると共に、前記給電部の一次コイルに高周波電力を供給する電源部を付属させ、照明体が、適宜高さを備えた塔状に形成されると共に、塔状本体内の底面側に、非導電性材質で形成した磁気吸着用の永久磁石、及び前記永久磁石の外周位置に永久磁石を囲繞する巻線からなる二次コイルで構成した受電部を設け、前記受電部の二次コイルと接続したＬＥＤを、塔状本体の上部周面にパネル体表面を照射する発光部として露出させて組み込んだものである。
【００１１】
而してパネル部を所望の壁面に設置したり、或いは適宜自立させ、電源部から給電部に通電し、掲示すべきポスター等をパネル部表面に添わせ、照明体を給電部位置に合わせて、掲示物を挟みながら磁気吸着させると、二次コイルに誘導起電力が発生し、ポスター等の掲示物の場合には掲示物をしっかりと挟持し、ポスター等の掲示物を照射して掲示物の視認を容易にするものである。
【００１２】
またパネル部に絵画など美術品（展示物）を掛け下げたりして、その周囲部分に位置する給電部に照明体を吸着すると、ＬＥＤが点灯し、紫外線を含まない光線で、展示物の照明がなされる。
【００１３】
また特に給電部と照明体に磁石を備えさせているので、一次コイルと二次コイルとは巻線中心が一致するので、電磁誘導が効率的になされるものであり、照明に十分な電力供給がなされるものである。
【００１４】
また上記展示装置は、給電部を、掲示物や展示物の規格寸法に対応した位置に設けてなるもので、ポスター等は一般的な規挌（Ａ版、Ｂ版のようなＪＩＳ規格）を備えた大きさであり、当該規格に対応したポスターを掲示した際の四隅位置に給電部を設けると、給電部を効率的に組み込むことができ、特に照明体の本体が、適宜高さを備えた塔状に形成し、塔状本体の上部周面に発光部を露出させてなるものであり、掲示物の表面から離れた位置でＬＥＤが点灯しても、より照明効果が高められるものである、
【００１５】
更に本発明（請求項２）は、特に照明体におけるＬＥＤを２個逆並列に接続すると共に、互いの発光部が塔状本体周面における約９０度以内となるように設けてなるもので、二次コイルに励起される交流起電力を有効に利用できると共に、掲示物の四隅や展示物の外周四隅に照明体を配置することで、効果的な照明がなされるものである。
【発明の効果】
【００１７】
本発明の構成は上記のとおりで、ポスター等の掲示物を照明体でパネル部に掲示すると同時に、給電部への電力供給で掲示物の照明が実現し、またパネル部に装着して展示する展示物に対しても、紫外線を含まない光線での照明が実現するもので、特に給電部の一次コイルと照明体の二次コイルは同一軸線上に配置され、効率的な電磁誘導がなされ、ＬＥＤで十分な掲示物・展示物照明がなされるものである。
【発明を実施するための最良の形態】
【００１８】
次に本発明の実施の形態について説明する。実施形態に示した展示装置は、パネル体１と複数の照明体２で構成されるもので、パネル体１は、パネル部１１とパネル部１１の背面に設けた給電部１２と、給電部１２に電力供給する電源部１３から構成される。
【００１９】
パネル部１１は、樹脂板等の非磁性及び非導電性材質で形成した適宜大きさの板体で、壁面装着部１１１やその他自立機構等を付設する。
【００２０】
給電部１２は、適宜なケース体１２１内に、非導電性材質で形成した永久磁石１２２、及び前記永久磁石１２２の外周位置に永久磁石１２２を囲繞する巻線からなる一次コイル１２３を設けたもので、この給電部１２は、パネル部１１の背面において、後述する掲示物Ａの規格に合わせて少なくとも四隅部には必ず設け、またパネル部１１の外周背面に限らず、小さいサイズの掲示物にも対応するような内側にも、また外周中間部分や内側中間部分にもＬＥＤの明るさに対応して数か所配置したものである。
【００２１】
前記の給電部１２の一次コイル１２３は、電源部１３からの高周波電力が供給される様に、直列あるいは並列に接続する。
【００２２】
電源部１３は、商用電源（ＬＥＤ駆動電圧まで降圧する）や直流電源に接続した発振回路を備えて、高周波電力を供給するものである。
【００２３】
照明体２は、塔状本体２１と受電部２２とＬＥＤ２３で構成され、塔状本体２１は、照明のためのＬＥＤ２３を、パネル部１１の表面から離れた位置とするために適宜な高さを備えたもので、前記の塔状本体２１内の底面側に給電部１２と対応する受電部２２を設けたものである。
【００２４】
受電部２２は、非導電性材質で形成した永久磁石２２１、及び前記永久磁石２２１の外周位置に永久磁石２２１を囲繞する巻線からなる二次コイル２２２で構成したものである。またＬＥＤ２３は、２個を前記受電部２２の二次コイル２２２と逆並列に接続し、互いの発光部が塔状本体２１の上部周面において約９０度以内となるように露出させて組み込んだものである。
【００２５】
而してパネル体１におけるパネル部１１は、所望の壁面に設置したり、或いは適宜自立させてなるもので、パネル部１１の表面においてＬＥＤ２３による照明を実現するものである。
【００２６】
即ち電源部１３から給電部１２の一次コイル１２３に高周波電力を供給し、パネル部１１の表面において照明体２を給電部１２に対面する個所で磁気吸着させると、受電部２２の二次コイル２２２に電磁誘導によって所定の起電力が発生し、ＬＥＤ２３が点灯するものである。
【００２７】
従ってポスター等の掲示物Ａの場合には、照明体２で掲示物Ａを挟んで保持すると同時にポスター等の掲示物Ａを照射するものである。
【００２８】
また絵画など美術品（展示物）の場合には、照明体２による挟持ができないので、パネル部１１に展示物を掛け下げたりして、その周囲部分に位置する給電部１２と対応する個所に照明体２を吸着させ、ＬＥＤを点灯して展示物の照明を行うものである。
【００２９】
尚上記の実施形態において、給電部１２を所定の位置（四隅部や用紙規格対応位置）に設けたものであるが、パネル部１１の裏面全体に多数の給電部１２を並べて設けても良く、この場合にはパネル部１１の表面の任意位置に照明体２を吸着固定することができ、展示物の展示位置に制限が加えられない利点がある。
【図面の簡単な説明】
【００３０】
【図１】本発明の実施形態のパネル体の説明図（一部背面斜視図）。
【図２】同照明体の説明図（一部切断斜視図）。
【図３】同使用状態の説明図（正面図）。
【図４】同要部断面図。
【符号の説明】
【００３１】
１        パネル体
１１      パネル部
１１１    壁面装着部
１２      給電部
１２１    ケース体
１２２    永久磁石
１２３    一次コイル
１３      電源部
２        照明体
２１      塔状本体
２２      受電部
２２１    永久磁石
２２２    二次コイル
２３      ＬＥＤ
【図１】
0004781397.tif 000002
【図２】
0004781397.tif 000003
【図３】
0004781397.tif 000004
【図４】
0004781397.tif 000005